(57)【特許請求の範囲】
【請求項１】
壁部に設けた換気口に挿入される筒部と、この筒部の前記壁部の室内側壁面に沿うように室内側に突出するフレーム部とを有する本体枠と、この本体枠の前記筒部内に設けられるファンを固着したモータからなるファンモータと、このファンモータを固定するモータ脚とを備え、前記モータ脚を前記本体枠に取付手段により着脱自在に取り付ける構成とし、
モータリード線と商用電源を導通接続するコネクターを、前記本体枠と前記モータ脚との間に設けたものであって、前記モータ脚を前記本体枠から取り外したときに、本体枠側コネクターから前記商用電源に至る電源回路を遮断するリミットスイッチを設けた給気換気装置。
【請求項２】
壁部に設けた換気口に挿入される筒部と、この筒部の前記壁部の室内側壁面に沿うように室内側に突出するフレーム部とを有する本体枠と、この本体枠の前記筒部内に設けられるファンを固着したモータからなるファンモータと、このファンモータを固定するモータ脚とを備え、前記モータ脚を前記本体枠に取付手段により着脱自在に取り付ける構成とし、前記取付手段を、前記筒部に設けた係合孔に弾性係合する凸部をモータ脚に設け、モータリード線と商用電源を導通接続するコネクターを、前記本体枠と前記モータ脚との間に設けたものであって、前記モータ脚を前記本体枠から取り外したときに、本体枠側コネクターから前記商用電源に至る電源回路を遮断するリミットスイッチを設けた給気換気装置。
【発明の詳細な説明】
【技術分野】
【０００１】
本発明は、壁部に設けた換気口に装着されるファンモータを簡単に着脱して掃除およびメンテナンスが容易にできる給気換気装置に関する。
【背景技術】
【０００２】
従来、この種の給気換気装置の一例として壁部に装着される給気換気装置が知られている（例えば、特許文献１参照）。
【０００３】
以下、その給気換気装置について図１６を参照しながら説明する。
【０００４】
図に示すように、壁部１０１に設けた換気口１０２に装着される筒状部１０３の室内側に外方に向け突出する方形のフレーム部１０４を設け、筒状部１０３内にファン１０５が位置するようにモータ１０６をフレーム部１０４に取り付けたファンモータ１０７を内蔵した本体１０８を設け、本体１０８のフレーム部１０４の外周に装着される枠状で前面はパネル１０９により閉鎖され、左右の側面１１０または上面１１１に通気口１１２を設けたグリル１１３を設け、通気口１１２に設けられるシャッター１１４を複数枚のシャッター板により形成し構成している。
【特許文献１】特開２００４−２９３８６４号公報（［００２１］図１）
【発明の開示】
【発明が解決しようとする課題】
【０００５】
このような従来の給気換気装置では、ファン１０５を取り外すためには、グリル１１３、本体１０８を含む給気換気装置全体を壁部１０１より取り外さなければ取り外せないという課題があり、ファンモータ１０７を簡単に取り外してファン１０５およびモータ１０６の掃除ができるようにすることが要求されている。
【０００６】
本発明は、このような従来の課題を解決するものであり、ファンモータを簡単に取り外してファンおよびモータの掃除とメンテナンスが容易に行える給気換気装置を提供することを目的としている。
【課題を解決するための手段】
【００２７】
本発明の給気換気装置は上記目的を達成するために、モータ脚を本体枠から取り外したときに、本体枠側のコネクターから商用電源に至る電源回路を遮断するリミットスイッチを設けたものである。
【００２８】
この手段により、掃除時の安全性をより高めることができる給気換気装置が得られる。
【発明の効果】
【００３１】
本発明によれば、ファン、モータ等の掃除およびメンテナンスが容易にできるという効果のある給気換気装置を提供できる。
【００３２】
また、簡単な構造でファンモータの着脱が容易にできるという効果のある給気換気装置を提供できる。
【００３３】
また、工具を用いずにファンモータの着脱が容易かつ確実に行え、また安価に実現できるという効果のある給気換気装置を提供できる。
【００３４】
また、着脱部材の耐久性の向上および騒音値の低減を図ることのできるという効果のある給気換気装置が得られる。
【００３５】
また、排気換気装置としても使用できるという効果のある給気換気装置を提供できる。
【００３６】
また、モータへの商用電源の接続が簡単で確実にできるという効果のある給気換気装置を提供できる。
【００３７】
また、より近いところで電装部に接続ができ、電線の引き回しも簡単となるという効果のある給気換気装置を提供できる。
【００３８】
また、雨水、埃、虫、ミスト等がファン、モータへ達することを防止し、送風性能の低下を抑制することができ、また、モータの寿命を延ばすことができるという効果のある給気換気装置を提供できる。
【００３９】
また、掃除時の安全性をより高めることができるという効果のある給気換気装置を提供できる。
【００４０】
また、工具を用いずにファンを取り外すことができ、掃除性が向上するという効果のある給気換気装置を提供できる。
【発明を実施するための最良の形態】
【００５１】
本発明の請求項１記載の給気換気装置は、モータ脚を本体枠から取り外したときに、本体枠側のコネクターから商用電源に至る電源回路を遮断するリミットスイッチを設けたものであり、掃除時等に触れる可能性のある充電部の電源回路を、リミットスイッチにより遮断することで、掃除時に、例えば充電部に触れたとしても電源回路が遮断されていることにより、掃除時の安全性をより高めることができるという作用を有する。
【００５３】
以下、本発明の実施の形態について図面を参照しながら説明する。
【００５４】
（実施の形態１）
図１および図２に示すように、壁部１に設けた換気口２に挿入される筒部３と、この筒部３の室内側壁面４に沿うように外方に突出するフレーム部５とを有する本体枠６と、本体枠６の筒部３内に設けられる形状で、ファン７と室外側に固着したモータ８からなるファンモータ９と、ファンモータ９に一端が固定されたモータ脚１０とを備え、略放射状に配設された複数本のモータ脚１０の端部は、本体枠６の室内側前面に当接するように略Ｌ字状に形成され本体枠６にねじ孔１１を設け、モータ脚１０を貫通したねじ１２を本体枠６に設けたねじ孔１１に螺合して取り付ける取付手段１３を形成し、取付手段１３の取付ねじ１２により室内側より着脱自在に取り付ける構成とする。
【００５５】
上記構成において、ファンモータ９を固定しているモータ脚１０が取付手段１３を介して本体枠６に着脱自在に取り付けられることにより、ファン７およびモータ８を掃除するときには、本体枠６が壁部１に取り付けられた状態で室内側から取付手段１３を操作することにより、モータ脚１０とともに、ファンモータ９を室内側に取り外すことができ、ファン７およびモータ８の掃除が容易に出来るとともに、ファン７およびモータ８のメンテナンスが容易にでき、またファンモータ９を取り外した状態では自然換気口としても使用することができることとなる。
【００５６】
また、取付ねじ１２で取付手段１３を形成できるので、簡単な構造で実現でき、また、取付ねじ１２としてコイン等を利用して着脱できる構成とすることによりドライバー等の工具を用いることなく容易にファンモータ９を着脱することができることとなる。
【００５７】
（実施の形態２）
図３に示すように、取付手段１３Ａを、蝶ねじ１４により構成する。
【００５８】
上記構成において、手の操作で緩締できる蝶ねじ１４を取付手段１３Ａとすることによって、ドライバー等の工具を用いる必要がなくなり、取付取外しの操作が容易となり、操作性を向上することができることとなる。
【００５９】
（実施の形態３）
図４に示すように、取付手段１３Ｂを筒部３Ａに設けた係合孔１５に弾性係合する凸部１６をモータ脚１０Ａに設け構成する。
【００６０】
上記構成において、本体枠６Ａ側の筒部３Ａに設けられる係合孔１５にモータ脚１０Ａに設けた凸部１６を弾性係合してファンモータ９Ａを本体枠６Ａに取り付けているので、取付操作がねじを用いて固定する場合と比較して容易となり、確実に固定することができ、また、別途にねじを必要としないので安価にできることとなる。
【００６１】
（実施の形態４）
図５に示すように、取付手段１３Ｃを、筒部３Ｂに設けた係合孔１５Ａに弾性係合する凸部１６Ａを金属ばね１７により形成し、モータ脚１０Ｂに設け構成する。
【００６２】
上記構成において、金属ばね１７により凸部１６Ａを形成し、弾性係合させているので、着脱における弾性部分の耐久性を高めることができ、また、金属ばね１７によりモータ８Ａの振動を吸収できることにより、騒音値の低減を図ることができることとなる。
【００６３】
（実施の形態５）
図６〜図８に示すように、取付手段１３Ｄを、筒部３Ｃの内面に設けた雌ねじ部１８と、この雌ねじ部１８に係合するようにモータ脚１０Ｂの端部を室内側から室外側の方向の奥行き寸法を幅広く形成し、雌ねじ部１８に螺合する部分の面積を大きくして形成した雄ねじ部１９を設け、雄ねじ部１９を回動する取手１９ａを設ける。また、ファンモータ９Ｂを図８に示すように反転して取り付け可能に構成する。
【００６４】
上記構成において、ファンモータ９Ｂを取り付けたモータ脚１０Ｂ自体を、直接本体枠６Ｂの筒部３Ｃに螺合して取り付けることにより、着脱が容易となり、固定も確実にでき、また、別途にねじ等の必要もなくなり、部品管理もし易くなる。
【００６５】
また、ファンモータ９Ｂをモータ脚１０Ｂとともに反転して取り付けることにより、容易に排気換気装置をして使用することができ、使い勝手が良くなることとなる。
【００６６】
（実施の形態６）
図９および図１０に示すように、モータリード線２０と商用電源２１を導通接続するコネクター２２を、本体枠６Ｃとモータ脚１０Ｃとの間に設け、コネクター２２の位置を本体枠６Ｃの上部側に設け構成する。
【００６７】
上記構成において、ファンモータ９Ｃを本体枠６Ｃに取り付けるときに、モータ脚１０Ｃ側のモータ脚フランジ部１０ａに設けたモータ脚側コネクター２３が本体枠６Ｃに設けた本体枠側コネクター２４に接続されることにより、モータ８Ｂへの商用電源２１への接続が簡単で確実にできることになる。
【００６８】
また、本構造のような給気換気装置の電装部２５は、結露水等が電装部２５に溜まらないようにするため、本体枠６Ｃの裏側の上方部に位置するのが通常であることによって、コネクター２２の位置を上方部にすることによって近いところで電装部２５に接続することができ、電装部２５に接続する電線の引き回しが簡単にできることとなる。
【００６９】
（実施の形態７）
図１１に示すように、モータ脚１０Ｄのファン７Ａよりも室外側にフィルター２６を着脱自在に取り付けるフィルター枠２７を設け構成する。
【００７０】
上記構成において、室外からの雨水、埃、虫、ミスト等の侵入を室内側より遠い場所に設けたフィルター２６により遮断することができ、ファン７Ａおよびモータ８Ｃ等の汚染を少なくし、送風性能の低下を抑制することができ、また、フィルター２６のメンテを行うときには、本体枠６Ｄに設けた係合孔１５Ｂに、モータ脚１０Ｄに設けた弾性係合する凸部１６Ｂの係合を解除するように、モータ脚１０Ｄを介してファンモータ９Ｅを室内側に取り出してフィルター２６の掃除または交換を行うことができ、また、フィルター２６の着脱が不可である他の場合には、メンテのためにモータ８Ｃより室内側にフィルター２６を位置させる必要があり、そのため室内側に設けられるフィルター２６を収納するルーバーの厚みが大きくなりインテリア性が悪くなるものであるのに対し、室内側に設けられるルーバー（図示せず）の厚みを薄くすることができることとなる。
【００７１】
（実施の形態８）
図１２〜図１４に示すように、モータ脚１０Ｅを本体枠６Ｅから取り外したときに、本体枠側コネクター２４Ａから商用電源２１Ａに至る電源回路を遮断するリミットスイッチ２８を設け構成する。
【００７２】
上記構成において、ファンモータ（図示せず）をモータ脚１０Ｅを介して本体枠６Ｅから取り外したときには、モータ脚１０Ｅ側のモータ脚フランジ部１０ｂに設けたモータ脚側コネクター２３Ａが本体枠６Ｅに設けた本体枠側コネクター２４Ａとの接続が離れるとともに、モータ脚フランジ部１０ｂがリミットスイッチ２８を作動することとなり、本体枠側コネクター２４Ａに至る商用電源２１Ａの電源回路が遮断されるので、掃除時に触れる可能性のある充電部となる本体枠側コネクター２４Ａに触れたとしても、電源回路が遮断されていることにより、掃除時の安全性を確保することができることとなる。
【００７３】
（実施の形態９）
図１５に示すように、ファンモータ９Ｇの回転軸２９に回り止めピン３０および凹溝部３１を設け、ファン７Ｃのボス部３２に回り止めピン３０に係合する係合溝３３および凹溝部３１に係合し保持される保持部３４と押圧部３５を回転軸２９を囲むように形成して一対設け、押圧部３５を回転軸２９の軸芯側となる内側に指先で挟み圧することにより押圧部３５と一体に設けた保持部３４が押圧部３５の移動方向に移動し、保持部３４が凹溝部３１より離脱し、保持部３４の保持力が解除されるように、係脱手段３６を形成し、ファン７Ｃを工具を使用しないで着脱できる構成とする。
【００７４】
上記構成において、ファン７Ｃを取り付けるときには、ボス部３２を回転軸２９にはめ、ボス部３２に設けた係合溝３３を回転軸２９に設けた回り止めピン３０に係合するとともに、回転軸２９の先端部分より係脱手段３６の保持部３４を開きながら回転軸２９の凹溝部３１に案内し保持部３４の弾性力で回転軸２９を挟持して取り付けることができ、ファン７Ｃが工具を用いずにモータ８Ｅから取り外せることによりファン７Ｃおよび８Ｅの掃除が細部まで行うことができ掃除性が更に向上することとなる。
【産業上の利用可能性】
【００７５】
本発明にかかる給気換気装置は、ファンおよびモータの掃除とメンテナンスが容易に行えるという効果を奏し、ファンやモータが汚れる換気扇全般の技術分野に有用である。
【図面の簡単な説明】
【００７６】
【図１】本発明の実施の形態１の給気換気装置の設置状態を示す断面図
【図２】同給気換気装置の正面図
【図３】本発明の実施の形態２の給気換気装置の正面図
【図４】本発明の実施の形態３の給気換気装置の設置状態を示す断面図
【図５】本発明の実施の形態４の給気換気装置の設置状態を示す断面図
【図６】本発明の実施の形態５の給気換気装置の設置状態を示す断面図
【図７】同給気換気装置の正面図
【図８】同給気換気装置を排気換気装置に形成した状態を示す断面図
【図９】本発明の実施の形態６の給気換気装置の設置状態を示す断面図
【図１０】同給気換気装置の正面図
【図１１】本発明の実施の形態７の給気換気装置の設置状態を示す断面図
【図１２】本発明の実施の形態８の給気換気装置の電源回路の構成を示す部分断面図
【図１３】同給気換気装置のモータ脚フランジ部とリミットスイッチの関係を示す部分断面図
【図１４】同給気換気装置のモータ脚フランジ部を示す部分正面図
【図１５】本発明の実施の形態９の給気換気装置のファンの着脱構成を示す斜視図
【図１６】従来の給気換気装置の設置状態を示す断面図
【符号の説明】
【００７７】
１      壁部
２      換気口
３      筒部
３Ａ    筒部
３Ｃ    筒部
４      室内側壁面
５      フレーム部
６      本体枠
６Ｃ    本体枠
６Ｄ    本体枠
６Ｅ    本体枠
７      ファン
７Ａ    ファン
７Ｃ    ファン
８      モータ
９      ファンモータ
９Ｂ    ファンモータ
９Ｇ    ファンモータ
１０    モータ脚
１０Ａ  モータ脚
１０Ｂ  モータ脚
１０Ｃ  モータ脚
１０Ｄ  モータ脚
１０Ｅ  モータ脚
１２    取付ねじ
１３    取付手段
１３Ａ  取付手段
１３Ｂ  取付手段
１３Ｄ  取付手段
１４    蝶ねじ
１５    係合孔
１６    凸部
１６Ａ  凸部
１７    金属ばね
１８    雌ねじ部
１９    雄ねじ部
２０    モータリード線
２１    商用電源
２１Ａ  商用電源
２２    コネクター
２４Ａ  本体枠側コネクター
２６    フィルター
２７    フィルター枠
２８    リミットスイッチ
２９    回転軸
３０    回り止めピン
３１    凹溝部
３２    ボス部
３３    係合溝
３６    係脱手段
【図１】
0004735355.tif 000002
【図２】
0004735355.tif 000003
【図３】
0004735355.tif 000004
【図４】
0004735355.tif 000005
【図５】
0004735355.tif 000006
【図６】
0004735355.tif 000007
【図７】
0004735355.tif 000008
【図８】
0004735355.tif 000009
【図９】
0004735355.tif 000010
【図１０】
0004735355.tif 000011
【図１１】
0004735355.tif 000012
【図１２】
0004735355.tif 000013
【図１３】
0004735355.tif 000014
【図１４】
0004735355.tif 000015
【図１５】
0004735355.tif 000016
【図１６】
0004735355.tif 000017